(57)【要約】【課題】車両の運転中にエンジンが一時停止状態から再始動した直後でも、排ガス成分濃度の測定が正確に行える排ガス分析装置を提供する。【解決手段】排気管２と、排気管と濃度検出部３を接続するサンプリング管４と、サンプリング管に設けられて常時濃度検出部にガスを供給するポンプ５と、サンプリング管に接続された代替ガス導入管６と、代替ガス導入管に接続され、既知の代替ガスが充填された代替ガス容器７と、サンプリング管と代替ガス導入管の分岐部４ａに配置された流路切換弁８と、エンジン１の作動の有無に応じて流路切替手段を制御する流路切替制御部９を備える。エンジンの作動時は、サンプリング管における分岐部の上流側と分岐部の下流側とが接続されて濃度検出部が排気管に接続され、エンジンの一時停止時は、代替ガス導入管とサンプリング管における分岐部の下流側とが接続されて濃度検出部が代替ガス導入管に接続される。【選択図】図１
2019086492.tif 000002
【特許請求の範囲】
【請求項１】
内部をエンジンの排ガスが流れる排気管と、
排ガスの成分濃度を検出する濃度検出部と、
前記排気管に分岐接続され、当該排気管を前記濃度検出部に接続するサンプリング管と、
前記サンプリング管または前記濃度検出器の排気系に設けられ、常時前記濃度検出部にガス供給を行うポンプと、
前記サンプリング管における前記ポンプの上流側に分岐接続された代替ガス導入管と、
前記代替ガス導入管に接続され、既知の代替ガスが充填された代替ガス容器と、
前記サンプリング管における前記代替ガス導入管の分岐部、または前記サンプリング管における前記分岐部の上流側および前記代替ガス導入管に設けられた流路切替手段と、
前記エンジンの作動の有無をモニタリングし、当該作動の有無に応じて前記流路切替手段を制御する流路切替制御部と、
前記代替ガス容器または前記代替ガス導入管に設けられた圧力制御器と、
前記代替ガス導入管における前記圧力制御器の下流側に分岐接続されたオーバーフロー管と、を備え、
前記エンジンの作動時は、前記サンプリング管における前記分岐部の上流側と前記分岐部の下流側とが接続されると同時に、前記代替ガス導入管が閉じられることによって、前記濃度検出部が前記排気管に接続される一方、前記エンジンの一時停止時は、前記代替ガス導入管と前記サンプリング管における前記分岐部の下流側とが接続されると同時に、前記サンプリング管における前記分岐部の上流側が閉じられることによって、前記濃度検出部が前記代替ガス導入管に接続されるものであることを特徴とする排ガス分析装置。
【請求項２】
前記代替ガスがゼロガスからなり、さらに、
前記エンジンの一時停止時に、前記濃度検出部による検出データを用いて前記濃度検出部のゼロ点補正を行う校正部を備えたことを特徴とする請求項１に記載の排ガス分析装置。
【請求項３】
前記校正部が、
移動平均取得時間、補正開始時間および濃度閾値が予め格納されたパラメータ値格納部と、
前記濃度検出部の前記排気管から前記代替ガス導入管への接続の切り替え後の経過時間を計測する時間計測部と、
前記濃度検出部の前記排気管から前記代替ガス導入管への接続の切り替え後、前記濃度検出部によって検出された濃度瞬間値を順次格納する検出データ格納部と、
前記移動平均取得時間に基づき、前記検出データ格納部に格納された前記濃度瞬間値を用いて濃度移動平均値を順次算出する移動平均値算出部と、
前記移動平均値算出部によって前記濃度移動平均値が算出されるたびに、前記時間計測部による計測値から前記移動平均取得時間を減算した値を前記補正開始時間と比較し、前記減算した値が前記補正開始時間を超えたときに、補正開始信号を出力する補正タイミング検出部と、
前記補正開始時期検出部から前記補正開始信号が出力されたとき、前記移動平均値算出部によって算出された前記濃度移動平均値を前記濃度閾値と比較し、前記濃度移動平均値が前記濃度閾値を超える場合に前記濃度検出部のゼロ点補正を行うゼロ点補正部と、を有していることを特徴とする請求項２に記載の排ガス分析装置。
【発明の詳細な説明】
【技術分野】
【０００１】
本発明は、エンジンから排出される排ガスの成分濃度を測定する排ガス分析装置に関するものである。
【背景技術】
【０００２】
近年、ハイブリッド車（ＨＥＶ）やアイドリング・ストップ車等の運転中にエンジンが一時停止する車両が普及しており、このような車両の運転中の排ガス成分濃度測定に対応した排ガス分析装置が開発されている。
【０００３】
例えば、特許文献１に記載の排ガス分析装置は、内部をエンジンからの排ガスが流れる排ガス流路と、排ガス流路に分岐接続された排ガス導入管と、排ガス導入管に接続された分析機器と、排ガス導入管に分岐接続された大気導入管と、排ガス導入管における大気導入管の分岐部に設けられた流路切替機構とを備えている。
【０００４】
そして、分析機器がエンジンの運転中は動作して常時ガスを吸引するとともに、流路切替機構によって、エンジンが作動状態のとき、排ガス導入管における分岐部の上流側の部分と分岐部の下流側の部分が接続される一方、エンジンが一時停止状態のときは、大気導入管と排ガス導入管における分岐部の下流側の部分が接続される。
【０００５】
そして、この構成によれば、エンジンの一時停止中に分析機器のポンプを動作させた状態でも、エンジンや大気側から排ガス流路への不意のガス流、触媒の温度変化、排気ポートの圧力低下等の発生を回避することができる。
【０００６】
しかしながら、大気中には分析計の測定対象成分（排ガス規制物質を含む）が含まれているため、上記の排ガス分析装置では、エンジンが一時停止状態から再始動せしめられて、分析機器のサンプリングラインが大気導入管側から排ガス導入管側に切り替えられた直後は、排ガスの成分濃度を正確に測定することができないという欠点があった。
【先行技術文献】
【特許文献】
【０００７】
【特許文献１】特開２０１５−７９００６号公報
【発明の概要】
【発明が解決しようとする課題】
【０００８】
したがって、本発明の課題は、車両の運転中にエンジンが一時停止状態から再始動した直後でも、排ガス成分濃度の測定が正確に行える排ガス分析装置を提供することにある。
【課題を解決するための手段】
【０００９】
上記課題を解決するため、本発明によれば、内部をエンジンの排ガスが流れる排気管と、排ガスの成分濃度を検出する濃度検出部と、前記排気管に分岐接続され、当該排気管を前記濃度検出部に接続するサンプリング管と、前記サンプリング管または前記濃度検出部の排気系に設けられ、常時前記濃度検出部にガス供給を行うポンプと、前記サンプリング管における前記ポンプの上流側に分岐接続された代替ガス導入管と、前記代替ガス導入管に接続され、既知の代替ガスが充填された代替ガス容器と、前記サンプリング管における前記代替ガス導入管の分岐部、または前記サンプリング管における前記分岐部の上流側および前記代替ガス導入管に設けられた流路切替手段と、前記エンジンの作動の有無をモニタリングし、当該作動の有無に応じて前記流路切替手段を制御する流路切替制御部と、前記代替ガス容器または前記代替ガス導入管に設けられた圧力制御器と、前記代替ガス導入管における前記圧力制御器の下流側に分岐接続されたオーバーフロー管と、を備え、前記エンジンの作動時は、前記サンプリング管における前記分岐部の上流側と前記分岐部の下流側とが接続されると同時に、前記代替ガス導入管が閉じられることによって、前記濃度検出部が前記排気管に接続される一方、前記エンジンの一時停止時は、前記代替ガス導入管と前記サンプリング管における前記分岐部の下流側とが接続されると同時に、前記サンプリング管における前記分岐部の上流側が閉じられることによって、前記濃度検出部が前記代替ガス導入管に接続されるものであることを特徴とする排ガス分析装置が提供される。
ここで、「既知の代替ガス」とは、濃度検出部の検出対象である成分ガス（濃度既知）のみからなるガス、または、濃度検出部の検出対象である成分ガス（濃度既知）の少なくとも１種類と濃度検出部の検出対象でない成分ガス（濃度不定でもよい）の少なくとも１種類が混合されたガス、または、濃度検出部の検出対象でない成分ガス（濃度不定でもよい）のみからなるガスをいう（以下同様）。
【００１０】
本発明の好ましい実施例によれば、前記代替ガスがゼロガスからなり、前記排ガス分析装置は、さらに、前記エンジンの一時停止中に、前記濃度検出部による検出データを用いて前記濃度検出部のゼロ点補正を行う校正部を備えている。
【００１１】
本発明の別の好ましい実施例によれば、前記校正部が、移動平均取得時間、補正開始時間および濃度閾値が予め格納されたパラメータ値格納部と、前記濃度検出部の前記排気管から前記代替ガス導入管への接続の切り替え後の経過時間を計測する時間計測部と、前記濃度検出部の前記排気管から前記代替ガス導入管への接続の切り替え後、前記濃度検出部によって検出された濃度瞬間値を順次格納する検出データ格納部と、前記移動平均取得時間に基づき、前記検出データ格納部に格納された前記濃度瞬間値を用いて濃度移動平均値を順次算出する移動平均値算出部と、前記移動平均値算出部によって前記濃度移動平均値が算出されるたびに、前記時間計測部による計測値から前記移動平均取得時間を減算した値を前記補正開始時間と比較し、前記減算した値が前記補正開始時間を超えたときに、補正開始信号を出力する補正タイミング検出部と、前記補正開始時期検出部から前記補正開始信号が出力されたとき、前記移動平均値算出部によって算出された前記濃度移動平均値を前記濃度閾値と比較し、前記濃度移動平均値が前記濃度閾値を超える場合に前記濃度検出部のゼロ点補正を行うゼロ点補正部とを備えている。
【発明の効果】
【００１２】
本発明によれば、エンジンの作動の有無に応じて濃度検出部の接続を排気管側と代替ガス導入管側に切り替え、エンジンの作動時は濃度検出部にエンジンからの排ガスを供給する一方、エンジンの一時停止時には濃度検出部に既知の代替ガスを供給するようにした。
【００１３】
そのため、エンジンの一時停止時は、濃度検出部には既知の代替ガスが供給され、濃度検出部が代替ガスの成分濃度の検出を行う一方、排気管内にはエンジン停止直後の排ガスが滞留したままであり、大気が排気管内に吸入されて排ガスの組成や温度に影響を及ぼすことはない。また、既知のガスに含まれる濃度検出部の検出対象の成分ガスは濃度が既知であるから、当該成分ガスについて濃度検出部で得られる検出データは予めわかっており、既知のガスに含まれる濃度検出部の検出対象でない成分ガスは、濃度検出部によって検出されることがない。
【００１４】
そして、エンジンが一時停止状態から再始動すると、濃度検出部が代替ガス導入管側から排気管側に切り替えられて濃度検出部に排ガスが供給され、濃度検出部による排ガスの成分濃度の検出が開始されるが、このとき、濃度検出部による排ガスの検出データは代替ガスの検出データから明確に区別し得る。
それによって、エンジンが一時停止状態から再始動した直後でも、排ガス成分濃度の測定が正確に行える。
【図面の簡単な説明】
【００１５】
【図１】本発明の１実施例による排ガス分析装置の概略構成を示すブロック図である。
【図２】（Ａ）は本発明の別の実施例による排ガス分析装置の概略構成を示すブロック図であり、（Ｂ）は（Ａ）の校正部の構成を示すブロック図である。
【図３】濃度検出部の接続の排気管側から代替ガス導入管側への切り替え後に濃度検出部で得られる濃度瞬間値の時間変化の一例を示すグラフである。
【発明を実施するための形態】
【００１６】
以下、添付図面を参照しつつ、本発明の構成を好ましい実施例に基づいて説明する。
図１は、本発明の１実施例による排ガス分析装置の概略構成を示すブロック図である。
図１を参照して、１はエンジンであり、２はエンジン１の排ガスが流れる排気管であり、３は排ガスの成分濃度を検出する濃度検出部である。
【００１７】
排気管２にはサンプリング管４が分岐接続され、サンプリング管４は排気管２を濃度検出部３に接続している。サンプリング管４には、常時濃度検出部３にガス供給を行うポンプ５が設けられている。
【００１８】
また、サンプリング管４におけるポンプ５の上流側に代替ガス導入管６が分岐接続され、代替ガス導入管６には、代替ガス容器７が接続されている。この実施例では、代替ガス容器７と代替ガス導入管６の接続は、代替ガス容器７（の出口）に圧力制御器１０を取り付け、圧力制御器１０に代替ガス導入管６を接続することによってなされている。
【００１９】
代替ガス容器７には既知の代替ガスが充填されている。
既知の代替ガスとしては、濃度検出部３の検出対象である成分ガス（濃度既知）のみからなるガス、または、濃度検出部３の検出対象である成分ガス（濃度既知）の少なくとも１種類と濃度検出部３の検出対象でない成分ガス（濃度不定でもよい）の少なくとも１種類が混合されたガス、または、濃度検出部の検出対象でない成分ガス（濃度不定でもよい）のみからなるガスが挙げられる。
【００２０】
また、サンプリング管４における代替ガス導入管６の分岐部４ａに、流路切替弁８が設けられている。この実施例では、流路切替弁８は、三方電磁弁からなっている。
【００２１】
さらに、エンジン１の作動の有無をモニタリングし、エンジン１の作動の有無に応じて流路切替弁８を制御する流路切替制御部９が設けられている。
流路切替制御部９によるエンジン１の作動の有無のモニタリングは、例えば、エンジン１の点火信号を監視することや、エンジン１の回転数を検出するセンサからの出力信号を監視することや、排気管２を流れる排ガス流量を検出するセンサからの出力信号を監視することや、エンジン１の吸気流量を検出するセンサからの出力信号を監視することや、エンジン停止信号や燃料供給停止信号を監視すること等によってなされる。
【００２２】
また、代替ガス導入管６における圧力制御器１０の下流側にオーバーフロー管１１が分岐接続されている。
【００２３】
そして、流路切替制御部９は、エンジン１が作動状態にあると判定したとき、サンプリング管４における分岐部４ａの上流側と分岐部４ａの下流側とを接続すると同時に、代替ガス導入管６を閉じることによって、濃度検出部３を排気管２に接続し、エンジン１が一時停止状態にあると判定したときは、代替ガス導入管６とサンプリング管４における分岐部４ａの下流側とを接続すると同時に、サンプリング管４における分岐部４ａの上流側を閉じることによって、濃度検出部３を代替ガス導入管６に接続する。
【００２４】
こうして、本発明の排ガス分析装置によれば、エンジン１の作動の有無に応じて濃度検出部３の接続を排気管２側と代替ガス導入管６側に切り替え、エンジン１の作動時は濃度検出部３にエンジン１からの排ガスを供給する一方、エンジン１の一時停止時には濃度検出部３に既知の代替ガスを供給するようにしている。
【００２５】
そのため、エンジン１の一時停止時は、濃度検出部３に代替ガスが供給されて濃度検出部３が代替ガスの成分濃度の検出を行う一方、排気管２内にはエンジン１の停止直後の排ガスが滞留したままとなり、大気が排気管２内に吸入されて排ガスの組成や温度に影響を及ぼすことはない。
【００２６】
また、既知のガスに含まれる濃度検出部３の検出対象の成分ガスは濃度が既知であるから、当該成分ガスについて濃度検出部３で得られる検出データは予めわかっており、既知のガスに含まれる濃度検出部３の検出対象でない成分ガスは、濃度検出部３によって検出されることがない。
【００２７】
そして、エンジン１が一時停止状態から再始動すると、濃度検出部３のガス供給路が代替ガス導入管６から排気管２側に切り替えられて濃度検出部３に排ガスが供給され、濃度検出部３による排ガスの成分濃度の検出がなされるが、このとき、濃度検出部３による排ガスの検出データは代替ガスの検出データから明確に区別され得る。
それによって、エンジン１が一時停止状態から再始動した直後でも、排ガス成分濃度の測定が正確に行える。
【００２８】
図２には、本発明の別の実施例の構成を示した。
この実施例は、図１の実施例と、濃度検出部３のゼロ点補正を行う校正部を備えた点が異なるだけである。よって、図２中、図１に示したものと同じ構成要素には同一番号を付し、以下ではそれらの詳細な説明を省略する。
【００２９】
図２（Ａ）を参照して、この実施例では、既知の代替ガスがゼロガスからなり、排ガス分析装置は、さらに、エンジン１の一時停止中に、濃度検出部３による検出データを用いて濃度検出部３のゼロ点補正を行う校正部１２を備えている。
【００３０】
校正部１２は、図２（Ｂ）に示すように、移動平均取得時間、補正開始時間および濃度閾値が予め格納されたパラメータ値格納部１３を有している。
ここで、移動平均取得時間、補正開始時間および濃度閾値はそれぞれ次のように規定される。
・移動平均取得時間：濃度検出部３の排気管２から代替ガス導入管６への接続の切り替え後、濃度検出部３で得られる濃度瞬間値の移動平均をとる時間間隔。平均時間としては、例えば、５〜１０秒が設定される。
・補正開始時間：濃度検出部３の排気管２から代替ガス導入管６への接続の切り替え後、ゼロ点補正を開始するまでの時間（管路の切り替え後、十分なガス置換が行われるまでの時間が考慮される）。例えば、１〜２分が設定される。
・濃度閾値：校正の要否を判定するための参照濃度値。濃度ゼロの点を挟んでプラス・マイナス２つの値が設定される。
【００３１】
校正部１２は、また、濃度検出部３の排気管２から代替ガス導入管６への接続の切り替え後の経過時間を計測する時間計測部１４と、濃度検出部３の排気管２から代替ガス導入管６への接続の切り替え後、濃度検出部３によって検出された濃度瞬間値を順次格納する検出データ格納部１５と、移動平均取得時間に基づき、検出データ格納部１５に格納された濃度瞬間値を用いて濃度移動平均値を順次算出する移動平均値算出部１６を有している。
【００３２】
校正部１２は、さらに、移動平均値算出部１６によって濃度移動平均値が算出されるたびに、時間計測部１４による計測値から移動平均取得時間を減算した値を補正開始時間と比較し、当該減算値が補正開始時間を超えたときに、補正開始信号を出力する補正タイミング検出部１７と、補正開始時期検出部１７から補正開始信号が出力されたとき、移動平均値算出部１６によって算出された濃度移動平均値を濃度閾値と比較し、濃度移動平均値が濃度閾値を超える場合に濃度検出部３のゼロ点補正を行うゼロ点補正部１８を有している。
【００３３】
次に、校正部１２の動作を具体的に説明する。
図３（Ａ）〜（Ｃ）は、濃度検出部３の接続の排気管２側から代替ガス導入管６側への切り替え後に濃度検出部３で得られた濃度瞬間値の時間変化の一例を示すグラフである。なお、図３（Ａ）〜（Ｃ）のグラフ中、縦軸は濃度瞬間値（％ＦＳ）を表し、横軸は経過時間（秒）を表している。
【００３４】
図３（Ａ）を参照して、濃度検出部３が排気管２から代替ガス導入管６に接続を切り替えられると（点Ｐ１）、代替ガス導入管６から濃度検出部３へのゼロガスの供給が開始されて、濃度検出部３内のガス置換（排ガス→ゼロガス）が進行し、それによって、濃度検出部３で得られる濃度瞬間値が急激に低下する。
【００３５】
また、濃度検出部３が排気管２から代替ガス導入管６に接続を切り替えられた後、移動平均取得時間毎に、検出データ格納部１５に格納された濃度瞬間値に基づき、検出データ移動平均値算出部１６によって濃度移動平均値が算出される。
また、濃度移動平均値が算出されるたびに、補正タイミング検出部１７において、時間計測部１４による計測値から移動平均取得時間を減算した値が補正開始時間と比較される。
【００３６】
そして、図３（Ｂ）に示すように、上記減算した値が補正開始時間を超えたとき（点Ｐ２）、補正タイミング検出部１７から補正開始信号が出力される。
補正開始信号が出力されると、ゼロ点補正部１８において、その時点で移動平均値算出部１６によって算出されている濃度移動平均値が濃度閾値（±δ）と比較され、濃度移動平均値が濃度閾値（±δ）を越えていると判定された場合には、ゼロ点補正部１８によって濃度検出部３のゼロ点補正がなされる（図３（Ｃ）の点Ｐ３）。
【００３７】
この実施例によれば、図１の実施例で得られる効果に加えて、エンジン１の一時停止中に、濃度検出部３のゼロ点補正を自動的に行えるという効果が得られる。
【００３８】
以上、本発明の好ましい実施例について説明したが、本発明の構成は上記実施例には限定されず、当業者は、本願の特許請求の範囲に記載した構成の範囲内で種々の変形例を案出し得る。
【００３９】
例えば、上記実施例では、流路切替手段として、サンプリング管における代替ガス導入管の分岐部に流路切替弁が配置されたが、この構成の代わりに、流路切替手段として、サンプリング管における分岐部の上流側および代替ガス導入管にそれぞれ第１および第２の流路切替弁を配置し、エンジンが作動状態のとき、第１の流路切替弁を開くと同時に、第２の流路切替弁を閉じ、エンジンが一時停止状態のときは、第１の流路切替弁を閉じると同時に、第２の流路切替弁を開く構成としてもよい。
【００４０】
また、例えば、上記実施例では、圧力制御器を代替ガス容器に設けたが、圧力制御器を代替ガス導入管に設けてもよい。また、上記実施例では、濃度検出部にガス供給を行うポンプをサンプリング管（濃度検出部の上流側）に設けたが、ポンプを濃度検出部の排気系（濃度検出部の下流側）に設けることもできる。
【符号の説明】
【００４１】
１  エンジン
２  排気管
３  濃度検出部
４  サンプリング管
４ａ  分岐部
５  ポンプ
６  代替ガス導入管
７  代替ガス容器
８  流路切替弁
９  流路切替制御部
１０  圧力制御器
１１  オーバーフロー管
１２  校正部
１３  パラメータ値格納部
１４  時間計測部
１５  検出データ格納部
１６  移動平均値算出部
１７  補正タイミング検出部
１８  ゼロ点補正部
【図１】
2019086492.tif 000003
【図２】
2019086492.tif 000004
【図３】
2019086492.tif 000005
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
内部をエンジンの排ガスが流れる排気管と、
排ガスの成分濃度を検出する濃度検出部と、
前記排気管に分岐接続され、当該排気管を前記濃度検出部に接続するサンプリング管と、
前記サンプリング管または前記濃度検出部の排気系に設けられ、常時前記濃度検出部にガス供給を行うポンプと、
前記サンプリング管における前記ポンプの上流側に分岐接続された代替ガス導入管と、
前記代替ガス導入管に接続され、既知の代替ガスとしてのゼロガスが充填された代替ガス容器と、
前記サンプリング管における前記代替ガス導入管の分岐部、または前記サンプリング管における前記分岐部の上流側および前記代替ガス導入管に設けられた流路切替手段と、
前記エンジンの作動の有無をモニタリングし、当該作動の有無に応じて前記流路切替手段を制御する流路切替制御部と、
前記代替ガス容器または前記代替ガス導入管に設けられた圧力制御器と、
前記代替ガス導入管における前記圧力制御器の下流側に分岐接続されたオーバーフロー管と、を備え、
前記エンジンの作動時は、前記サンプリング管における前記分岐部の上流側と前記分岐部の下流側とが接続されると同時に、前記代替ガス導入管が閉じられることによって、前記濃度検出部が前記排気管に接続される一方、前記エンジンの一時停止時は、前記代替ガス導入管と前記サンプリング管における前記分岐部の下流側とが接続されると同時に、前記サンプリング管における前記分岐部の上流側が閉じられることによって、前記濃度検出部が前記代替ガス導入管に接続されるようになっており、さらに、
前記エンジンの一時停止時に、前記濃度検出部による検出データを用いて前記濃度検出部のゼロ点補正を行う校正部を備え、
前記校正部が、
移動平均取得時間、補正開始時間および濃度閾値が予め格納されたパラメータ値格納部と、
前記濃度検出部の前記排気管から前記代替ガス導入管への接続の切り替え後の経過時間を計測する時間計測部と、
前記濃度検出部の前記排気管から前記代替ガス導入管への接続の切り替え後、前記濃度検出部によって検出された濃度瞬間値を順次格納する検出データ格納部と、
前記移動平均取得時間に基づき、前記検出データ格納部に格納された前記濃度瞬間値を用いて濃度移動平均値を順次算出する移動平均値算出部と、
前記移動平均値算出部によって前記濃度移動平均値が算出されるたびに、前記時間計測部による計測値から前記移動平均取得時間を減算した値を前記補正開始時間と比較し、前記減算した値が前記補正開始時間を超えたときに、補正開始信号を出力する補正タイミング検出部と、
前記補正タイミング検出部から前記補正開始信号が出力されたとき、前記移動平均値算出部によって算出された前記濃度移動平均値を前記濃度閾値と比較し、前記濃度移動平均値が前記濃度閾値を超える場合に前記濃度検出部のゼロ点補正を行うゼロ点補正部と、を有していることを特徴とする排ガス分析装置。
【手続補正２】
【補正対象書類名】明細書
【補正対象項目名】０００９
【補正方法】変更
【補正の内容】
【０００９】
上記課題を解決するため、本発明によれば、内部をエンジンの排ガスが流れる排気管と、排ガスの成分濃度を検出する濃度検出部と、前記排気管に分岐接続され、当該排気管を前記濃度検出部に接続するサンプリング管と、前記サンプリング管または前記濃度検出部の排気系に設けられ、常時前記濃度検出部にガス供給を行うポンプと、前記サンプリング管における前記ポンプの上流側に分岐接続された代替ガス導入管と、前記代替ガス導入管に接続され、既知の代替ガスとしてのゼロガスが充填された代替ガス容器と、前記サンプリング管における前記代替ガス導入管の分岐部、または前記サンプリング管における前記分岐部の上流側および前記代替ガス導入管に設けられた流路切替手段と、前記エンジンの作動の有無をモニタリングし、当該作動の有無に応じて前記流路切替手段を制御する流路切替制御部と、前記代替ガス容器または前記代替ガス導入管に設けられた圧力制御器と、前記代替ガス導入管における前記圧力制御器の下流側に分岐接続されたオーバーフロー管と、を備え、前記エンジンの作動時は、前記サンプリング管における前記分岐部の上流側と前記分岐部の下流側とが接続されると同時に、前記代替ガス導入管が閉じられることによって、前記濃度検出部が前記排気管に接続される一方、前記エンジンの一時停止時は、前記代替ガス導入管と前記サンプリング管における前記分岐部の下流側とが接続されると同時に、前記サンプリング管における前記分岐部の上流側が閉じられることによって、前記濃度検出部が前記代替ガス導入管に接続されるようになっており、さらに、前記エンジンの一時停止時に、前記濃度検出部による検出データを用いて前記濃度検出部のゼロ点補正を行う校正部を備え、前記校正部が、移動平均取得時間、補正開始時間および濃度閾値が予め格納されたパラメータ値格納部と、前記濃度検出部の前記排気管から前記代替ガス導入管への接続の切り替え後の経過時間を計測する時間計測部と、前記濃度検出部の前記排気管から前記代替ガス導入管への接続の切り替え後、前記濃度検出部によって検出された濃度瞬間値を順次格納する検出データ格納部と、前記移動平均取得時間に基づき、前記検出データ格納部に格納された前記濃度瞬間値を用いて濃度移動平均値を順次算出する移動平均値算出部と、前記移動平均値算出部によって前記濃度移動平均値が算出されるたびに、前記時間計測部による計測値から前記移動平均取得時間を減算した値を前記補正開始時間と比較し、前記減算した値が前記補正開始時間を超えたときに、補正開始信号を出力する補正タイミング検出部と、前記補正タイミング検出部から前記補正開始信号が出力されたとき、前記移動平均値算出部によって算出された前記濃度移動平均値を前記濃度閾値と比較し、前記濃度移動平均値が前記濃度閾値を超える場合に前記濃度検出部のゼロ点補正を行うゼロ点補正部と、を有していることを特徴とする排ガス分析装置が提供される。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
本発明によれば、エンジンの作動の有無に応じて濃度検出部の接続を排気管側と代替ガス導入管側に切り替え、エンジンの作動時は濃度検出部にエンジンからの排ガスを供給する一方、エンジンの一時停止時には濃度検出部に既知の代替ガスとしてのゼロガスを供給するようにした。
【手続補正６】
【補正対象書類名】明細書
【補正対象項目名】００１３
【補正方法】変更
【補正の内容】
【００１３】
そのため、エンジンの一時停止時は、濃度検出部には既知の代替ガスとしてのゼロガスが供給され、濃度検出部がゼロガスの成分濃度の検出を行う一方、排気管内にはエンジン停止直後の排ガスが滞留したままであり、大気が排気管内に吸入されて排ガスの組成や温度に影響を及ぼすことはない。また、ゼロガスは濃度検出部の検出対象の成分ガスを含まないので、ゼロガスについて濃度検出部で得られる濃度検出値はゼロであることが予めわかっており、それによって、エンジンの一時停止時に濃度検出部のゼロ点補正を行うことができる。
【手続補正７】
【補正対象書類名】明細書
【補正対象項目名】００１４
【補正方法】変更
【補正の内容】
【００１４】
そして、エンジンが一時停止状態から再始動すると、濃度検出部が代替ガス導入管側から排気管側に切り替えられて濃度検出部に排ガスが供給され、濃度検出部による排ガスの成分濃度の検出が開始されるが、このとき、濃度検出部による排ガスの検出データはゼロガスの検出データから明確に区別し得る。
それによって、エンジンが一時停止状態から再始動した直後でも、排ガス成分濃度の測定が正確に行える。
【手続補正８】
【補正対象書類名】明細書
【補正対象項目名】００３２
【補正方法】変更
【補正の内容】
【００３２】
校正部１２は、さらに、移動平均値算出部１６によって濃度移動平均値が算出されるたびに、時間計測部１４による計測値から移動平均取得時間を減算した値を補正開始時間と比較し、当該減算値が補正開始時間を超えたときに、補正開始信号を出力する補正タイミング検出部１７と、補正タイミング検出部１７から補正開始信号が出力されたとき、移動平均値算出部１６によって算出された濃度移動平均値を濃度閾値と比較し、濃度移動平均値が濃度閾値を超える場合に濃度検出部３のゼロ点補正を行うゼロ点補正部１８を有している。